(57)【特許請求の範囲】
【請求項１】
釣竿に釣糸ガイドのガイド脚を固定するためのコイルばねからなる釣糸ガイド固定具であって、前記コイルばねは、釣竿の径およびガイド脚に合わせて徐々に内径が小さくなるテーパ状のばねとされ、前記ガイド脚を釣竿との間で挟み込み固定し、かつ釣竿の屈曲に追随可能な屈曲性を有する釣糸ガイド固定具。
【請求項２】
釣竿に釣糸ガイドのガイド脚を固定するためのパイプからなる釣糸ガイド固定具であって、前記パイプは、その両端部まで長さ方向で貫通するスリットが形成されて径方向に拡縮可能とされ、前記ガイド脚を釣竿との間で挟み込み固定し、かつ釣竿の屈曲に追随可能な屈曲性を有する釣糸ガイド固定具。
【請求項３】
固定具の素材は、ステンレス鋼あるいは超弾性素材である、請求項１又は２に記載の釣糸ガイド固定具。
【請求項４】
前記コイルばね又はパイプの内径が削られてフラット面が形成された請求項１〜３のいずれかに記載の釣糸ガイド固定具。
【請求項５】
フラット面は粗面化されている請求項４に記載の釣糸ガイド固定具。
【発明の詳細な説明】
【技術分野】
【０００１】
本発明は、釣竿に釣糸ガイドの脚を固定するための釣糸ガイド固定具に関するものである。
【背景技術】
【０００２】
この種の釣糸ガイドは、通常、釣糸を通すリング状のガイド本体と、その下側に設けられたＬ字形の脚とから構成されており、釣糸ガイドの取付は、ガイドの取付位置をメジャーで測りながら、取り付けたい位置にガイド脚をマスキングテープ等で釣竿に仮止めした後、巻き糸を巻き付けて固定し、その後、ガイド脚を樹脂にてコーティングして硬化させ、ガイドを固定するようにしている。
【０００３】
特許文献１には、上記のような釣糸ガイド固定方法に代わり、コイルばねを使用して釣糸ガイドを釣竿に固定することが開示されている。すなわち、釣糸ガイドを、リング状のガイド本体と、その下部に設けられたコイルばねとから構成し、コイルばねを釣竿の所定の装着位置まで貫挿すると、釣竿の外径に応じてコイルばねの径が拡大するため、そのコイルばねの復元力によって、ガイド本体を所定箇所にしっかりと保持されることが開示されている。このコイルばねの使用により、釣糸ガイドは簡単な方法で釣竿に固定することができる。
【先行技術文献】
【特許文献】
【０００４】
【特許文献１】特開昭５１−３３０８７号公報
【発明の概要】
【発明が解決しようとする課題】
【０００５】
ところで、近年の釣竿は、その性能が向上し、魚の掛りに合わせて釣竿が撓りやすくなり、特に穂先の撓りは格段に向上してきている。しかし、従来の釣糸ガイドは、そのガイド脚を巻き糸等の固定具により釣竿に固定しているので、必然的にガイド固定部分の撓りが阻害され、釣竿本来の性能を十分発揮することができないといった難点があった。
【０００６】
特に、釣竿の穂先部分を強く屈曲させた場合、釣糸ガイド固定部がその屈曲に追随できず、釣竿と釣糸ガイド脚部の接着面が剥がれ、釣糸ガイドが釣竿より離脱するおそれがあった。
【０００７】
特許文献１に示すコイルばねを使用したとしても、釣竿の撓りに追随して湾曲するようなコイルばねの特性が開示されているものでなく、近年では、釣竿のガイド固定部分においても、釣竿の撓り性能を十分発揮できるガイド固定具の出現が望まれている。
【０００８】
本発明は、上記に鑑み、ガイド固定具としてコイルばねやパイプを使用しつつ、釣竿の撓り性能に十分追随できる釣糸ガイド固定具の提供を目的とするものである。
【課題を解決するための手段】
【０００９】
上記目的を達成するため、本発明の好適な実施形態では、釣竿に釣糸ガイドのガイド脚を固定する釣糸ガイド固定具であって、前記ガイド脚を釣竿との間で挟み込み固定し、かつ釣竿の屈曲に追随可能な屈曲性を有することを特徴としている。
上記のように、ガイド脚を固定しつつ、釣竿の屈曲に追随可能な屈曲性を備えた固定具としているので、釣竿を強く屈曲させても、固定具がこれに追随することができ、釣糸ガイドが釣竿から離脱するのを防止することができる。
【００１０】
このようなガイド脚固定機能と屈曲追随性を備える構成の一例として、固定具をコイルばね又はパイプから構成する態様が挙げられる。コイルばね又はパイプの素材として、ステンレス鋼あるいは超弾性素材を例示することができる。屈曲性および把持力に優れた性能を発揮するからである。
【００１１】
コイルばね又はパイプは、円筒型のみならず、円錐型（テーパ状）のものも採用することができる。テーパ状のものを使用することにより、釣竿と釣糸ガイドの取付箇所で、釣竿と釣糸ガイド脚部が重なる部分が大きく傾斜する場合は、コイルばねやパイプの形状を釣竿のテーパ形状とは逆方向のテーパ形状とすることで、釣竿と釣糸ガイド脚部の密着状態がより安定する。
【００１２】
さらに、パイプについては、その両端部まで長さ方向で貫通するスリットを形成することで、径方向に拡縮可能なものを採用すればよい。パイプをその長さ方向に裂いて使用することによって、パイプそのものの持つ弾性と相俟って縮径力を増大させることができる。
【００１３】
また、コイルばね又はパイプの内径の一部を研削してフラット面を形成することで、ガイド脚や釣竿との接触面積が増大し、把持力をより高めることができる。さらに、コイルばね又はパイプの内径の少なくとも一部を研削により粗面化することで、摩擦力が増大し、把持力をさらに高めることができる。粗面化はコイルばね又はパイプの内径の全部であってもよい。さらに、粗面化はフラット面がない場合でも行うことができる。また、フラット面がある場合であっても、フラット面を粗面化する態様の他、フラット面を除く他の部分を粗面化する態様も考えられる。
【発明の効果】
【００１４】
本発明によると、釣糸ガイド固定具は、ガイド脚を固定しつつ、釣竿の屈曲に追随可能な屈曲性を備えているので、釣竿を強く屈曲させても、固定具がこれに追随するので、釣糸ガイドが釣竿から離脱するのを防止することができる。
【図面の簡単な説明】
【００１５】
【図１】本発明の実施形態である釣竿の使用状態を示す斜視図である。
【図２】同じく釣糸ガイドを固定した釣糸ガイド固定具の断面図である。
【図３】同じく屈曲状態の釣竿とその釣糸ガイドおよび固定具を示す断面図である。
【図４】（ａ）は釣竿に縮径力で固定されたコイルばねの正面図、（ｂ）は釣竿の長さ方向に圧縮した状態を示すコイルばねの正面図である。
【図５】(ａ)は内面を削ったコイルばねの正面図、（ｂ）はその線材の断面図である。
【図６】テーパ状の釣竿に逆テーパ状のコイルばねが貫挿された状態を示す正面図である。
【図７】パイプに螺旋状の溝を切った固定具の正面図である。
【図８】パイプを長さ方向にスリットを入れて裂いた固定具の斜視図である。
【発明を実施するための形態】
【００１６】
本発明に係る実施形態を図面に基づいて説明する。図１は釣竿の使用状態を示す。釣竿１は、屈曲自在なカーボンや超弾性合金等の素材が使用されており、特に、穂先２は強く屈曲することができるようになっている。この釣竿１の根元側３には、リール４が取り付けられ、そのリール４から引き出された釣糸５を穂先２側に導く複数の釣糸ガイド７が釣竿１に間隔をおいて配置され、この釣糸ガイド７を釣竿１に固定するガイド固定具８が設けられている。
【００１７】
図２は釣糸ガイドを固定した釣糸ガイド固定具を示し、図３は釣竿を屈曲させた状態での釣糸ガイド７と固定具８との取付状態を示す。図３に示すように、固定具８は、釣竿１の屈曲性能に追随しえ屈曲可能な態様となっている。
【００１８】
ここで、釣糸ガイド７は、釣糸５を通すリング状のガイド本体１０と、その下部に一体的に設けられたガイド脚１１とを備えている。ガイド脚１１は、本実施形態では、側面視でＬ字形に折曲げられた態様となっている。ただ、ガイド脚１１は、これに限らず、逆Ｔ字形の態様としてもよい。
【００１９】
ガイド脚１１を固定するガイド固定具８は、図２および図３に示すように、コイルばね１２が使用されている。このコイルばね１２は、ガイド脚１１を釣竿１との間で挟み込み固定し、かつ釣竿の屈曲に追随可能な屈曲性を有する。屈曲性は、コイルばねの自由長、コイル内径、線径、巻き数、ピッチ、さらには、コイルばね１２の材質を適宜設定することにより、コイルばね１２の長さ方向の屈曲性を自由に設定することができる。コイルばね１２の材質は、ステンレス鋼あるいは超弾性素材から構成するのが好ましい。コイルばねは、コイルばねの全長（自由長）が同じで巻き数が違えば、そのピッチが変わることになる。ピッチは、等ピッチあるいは不等ピッチのいずれであってもよい。さらに、コイルばねの形状および寸法は、釣竿１の径とガイド脚１１の長さ及び厚み等によって決定される。
【００２０】
コイルばね１２の把持力は、基本的には、ガイド脚１１および釣竿１への締付力となる。この場合も、上記屈曲性と同様に、コイルばねの自由長、コイル内径、線径、巻き数、ピッチ、さらにはコイルばね１２の材質を適宜変更して設定することができる。例えば、コイルばねのピッチや巻き数を変更したり、コイル内径を変更することにより、コイルばね１２の把持力も設計変更することができる。
【００２１】
図４はコイルばねの長さ方向でコイル内径ｄ０,ｄ１やピッチＰ０,Ｐ１を変更した例を示す。すなわち、コイルばね１２の長さ方向中央部のコイル内径ｄ１を両端部１２ａ，１２ｂのコイル内径ｄ０よりも小径に形成する。また、中央部の自由状態におけるコイルピッチＰ０を両端部のコイルピッチＰ１よりも大きく設定する。これにより、中央部における屈曲性が増大する。
【００２２】
図４（ａ）は釣竿１に縮径力で固定された状態を、同図（ｂ）は釣竿１の長さ方向に圧縮し、かつコイル内径が大きくなる方向に捩じった状態をそれぞれ示す。圧縮状態のコイル内径は、図４（ｂ）に示すように、少なくとも釣竿１の外径よりも大径に設定され、コイルばね１２を釣竿１に通すことができ、かつガイド脚１１をコイルばね１２の内面と釣竿１との間に介在させることができる大きさに設定されている。そして、圧縮力を解除した自由状態においては、コイルばね１２が縮径し、その縮径力によりコイルばね１２の内面で釣竿１およびガイド脚１１に対する把持力を発揮する。
【００２３】
上記構成における釣糸ガイドの固定方法を説明すると、固定具１２としてのコイルばねを圧縮状態で釣竿１の所定の装着位置まで貫挿し、釣糸ガイド７のガイド脚１１をコイルばね１２の内部に挿入し、次いで、コイルばね１２の圧縮力を開放する。そうすると、コイルばね１２の復元力によりコイルばね１２は縮径し、所定の縮径力で釣竿１と釣糸ガイド７のガイド脚１１を把持する。その後、必要に応じて、ガイド脚１１およびコイルばね１２の外周を巻き糸により巻回し、接着剤等で固定する。これにより、より強固に固定することができる。
【００２４】
コイルばね１２は、ステンレス鋼あるいは超弾性素材により形成され、かつガイド脚１１を釣竿１との間で挟み込み固定し、しかも、釣竿１の屈曲に追随可能な屈曲性を有しているので、釣竿１を強く屈曲させても、固定具８がこれに追随するので、釣糸ガイド７が釣竿１から離脱するのを防止することができる。コイルばね１２は、その長さ方向で同径に形成してもよいが、図４に示すように、その長さ方向でコイル内径やピッチや巻き数を適宜変更し、釣竿１の屈曲に、より追随できる屈曲性を備えることができる。これにより、安定して釣糸ガイドを固定することができる。
【００２５】
図５は上記実施の態様の変形例である。コイルばね１２の内面を削り、フラットな面１３を形成した例を示す。図５(ａ)は内面を削ったコイルばねの正面図、同図（ｂ）はその線材の断面図である。このように、フラット面１３を形成することにより、ガイド脚１１や釣竿１に対する接触面積が大きくなり、また、その研削面を粗面化１３ａすることにより摩擦係数が高くなり、断面円形のような点接触状態のコイルばねよりも把持力を高めることができる。
【００２６】
図６はさらに他の実施形態を示すもので、この例では、テーパ状の釣竿１に、逆テーパ状のコイルばね１６が貫挿された状態を示す正面図である。このコイルばね１６は、コイルの長さ方向で基端側１６ａより先端側１６ｂに向かって徐々にコイル内径が大きくなるように設定され、釣竿１のテーパ形状と逆テーパ状の傾斜を有する態様となっている。
【００２７】
上記構成においては、釣竿１と釣糸ガイド７の取付箇所で、釣竿１と釣糸ガイド脚部１１が重なる部分が大きく傾斜あるいは緩やかに傾斜する場合でも、コイルばね１６の形状を釣竿１のテーパ形状と逆テーパ形状にすることにより、釣竿１と釣糸ガイド脚部１１の密着状態がより安定することになる。
【００２８】
図７はパイプに螺旋状の溝１４を入れた固定具を示す。図７において、符号Ｌ，Ｌａは板幅を、β０，β１はピッチ角を夫々示す。図７に示すように、この固定具は、パイプ１５から構成され、パイプ１５に螺旋状の溝１４を形成することにより、コイルばねと同様な態様に形成したものである。この固定具では、板幅Ｌ、Ｌａを変更してパイプ１５の長さ方向で基端側１５ａと先端側１５ｂとで屈曲性を変更したものである。このように形成することで、パイプ１５の他端側１５ｂが一端側１５ａよりも屈曲性を有することになる。なお、螺旋は連続したものに限らず、断続的に形成したものであってもよい。さらに、図７の示す例に限らず、パイプ１５に形成した螺旋状の溝１４のピッチは適宜変更することができる。これにより、固定具であるパイプ１５は、釣竿１の屈曲に、より追随できる屈曲性を備えることができる。
【００２９】
図８はパイプを長さ方向にスリットを入れて裂いた固定具を示す。この固定具では、パイプ１７の長さ方向にスリットを形成し、かつ、基端側１７ａの内径Ｘよりも先端側の内径Ｙを小さくするようにテーパ形状に形成している。
【００３０】
この構成によると、パイプ１７が、その両端部１７ａ、１７ｂまで長さ方向で貫通するスリット１８が形成されているので、径方向に拡縮可能であって、釣竿１のテーパと逆テーパ状のパイプ１７を釣竿１およびガイド脚１１に外挿することにより、釣竿１及びガイド脚１１を十分な把持力で把持することができる。しかも、パイプ１７の素材として、超弾性素材を採用すれば、釣竿１の屈曲性に追随して屈曲することもできる。
【００３１】
なお、本発明は上記実施形態に限定されるものではなく、本発明の範囲内で多くの修正変更を加えることができるのは勿論である。例えば、図４において、コイル内径が同径のものであってもよい。また、図８に示すパイプは同径状のものであってもよい。さらに、パイプにおいても、その内面を研削して荒らして粗面化することで、釣竿１やガイド脚１１との摩擦抵抗を大きくすることにより、より把持力を増大させることができる。
【符号の説明】
【００３２】
１    釣竿
２    穂先
３    根元側
４    リール
５    釣糸
７    釣糸ガイド
８    ガイド固定具
１０    ガイド本体
１１    ガイド脚
１２    コイルばね
１３    フラット面
１４    溝
１５    パイプ
１７    パイプ
１８    スリット
【要約】
【課題】釣竿の撓り性能に十分追随できる釣糸ガイド固定具を提供する。
【解決手段】釣竿１に釣糸ガイド７のガイド脚１１を固定するための釣糸ガイド固定具８であって、ガイド脚１１を釣竿１との間に挟み込み固定し、かつ釣竿１の屈曲に追随可能な屈曲性を有する。例えば、コイルばね１２の自由長、コイル内径、線径、巻き数、ピッチ、さらには、ステンレス鋼や超弾性素材からなるコイルばね１２の材質を適宜設定することにより、釣竿１の穂先２の屈曲に追随可能な屈曲性と、ガイド脚１１および釣竿１を固定するのに十分な把持力を確保することができる。コイルばね１２に代わり、ガイド脚１１を釣竿１に挟み込み固定する把持力と釣竿の屈曲に追随する十分な屈曲性を備えたパイプ状の固定具も採用することもできる。
【選択図】図４【図１】
0006923980.tif 000002
【図２】
0006923980.tif 000003
【図３】
0006923980.tif 000004
【図４】
0006923980.tif 000005
【図５】
0006923980.tif 000006
【図６】
0006923980.tif 000007
【図７】
0006923980.tif 000008
【図８】
0006923980.tif 000009